(57)【要約】  人工知能ベースのシステムを利用して患者における神経障害を診断及び監視するシステム及び方法。本システムは、複数のセンサーと、トレーニングされた機械学習ベースの診断及び監視ツールの集合と、出力デバイスとを備え得る。複数のセンサーは、神経障害に関連するデータを収集し得る。トレーニングされた診断ツールは、様々な神経障害についてのリスク・アセスメントを割り当てるためにセンサー・データを使用することを学習する。トレーニングされた監視ツールは、経時的に障害の動向を追跡し、関連する処置の投与を勧告又は変更するために使用され得る。本システムの目的は、専門的にトレーニングされた神経科医からの入力を必要とすることなしに、患者における神経障害の存在及び重大度の正確な評価を与えることである。
2020537579.tif 000002
【特許請求の範囲】
【請求項１】
患者における神経障害を診断するためのシステムであって、前記システムは、
ｉ．  プロセッサ及びメモリと通信している少なくとも１つのセンサーであって、
ａ．  プロセッサ及びメモリと通信している前記少なくとも１つのセンサーが、前記患者から生患者データを取得し、
ｉ．  前記生患者データが、ビデオ記録及びオーディオ記録のうちの少なくとも１つを備える、少なくとも１つのセンサーと、
ｉｉ．  前記プロセッサ及び前記メモリと通信しているデータ処理モジュールであって、
ａ．  前記データ処理モジュールが、前記生患者データを処理された診断データに変換する、データ処理モジュールと、
ｉｉｉ．  前記データ処理モジュールと通信している診断モジュールであって、
ａ．  前記診断モジュールが、トレーニングされた診断システムを備え、
ｉ．  前記トレーニングされた診断システムが、複数の診断モデルを備え、
１．  前記複数の診断モデルの各々が、前記処理された診断データの少なくとも１つの態様に分類を割り当てるようにトレーニングされた複数のアルゴリズムを備え、
ｉｉ．  前記トレーニングされた診断システムが、前記患者についての診断予測を出力するために、前記複数の診断モデルの前記分類を統合する、診断モジュールと
を備える、システム。
【請求項２】
前記診断モジュールを実行するプログラムが、前記少なくとも１つのセンサーから遠隔にあるデバイス上で実行される、請求項１に記載のシステム。
【請求項３】
前記トレーニングされた診断システムが、運動障害を診断するようにトレーニングされる、請求項１に記載のシステム。
【請求項４】
前記運動障害がパーキンソン病である、請求項３に記載のシステム。
【請求項５】
前記生患者データがビデオ記録を備え、前記ビデオ記録が、単純な表情を作っている間の前記患者の顔の記録、前記患者の瞬目率の記録、前記患者の注視変動の記録、着座している間の前記患者の記録、準備された文を読んでいる間の前記患者の顔の記録、反復的なタスクを実施している前記患者の記録、及び歩いている間の前記患者の記録のうちの少なくとも１つを備える、請求項３に記載のシステム。
【請求項６】
前記生患者データがオーディオ記録を備え、前記オーディオ記録が、準備された文を繰り返して言っている前記患者の記録、センテンスを読んでいる前記患者の記録、及び破裂音を発している前記患者の記録のうちの少なくとも１つを備える、請求項３に記載のシステム。
【請求項７】
前記複数のアルゴリズムが、機械学習システムを使用してトレーニングされる、請求項１に記載のシステム。
【請求項８】
前記機械学習システムが、畳み込みニューラル・ネットワーク、リカレント・ニューラル・ネットワーク、長期短期記憶ネットワーク、サポート・ベクター・マシン、及びランダム・フォレスト回帰モデルのうちの少なくとも１つを備える、請求項７に記載のシステム。
【請求項９】
患者における埋め込み医療デバイスを較正するためのシステムであって、前記システムは、
ｉ．  プロセッサ及びメモリと通信している少なくとも１つのセンサーであって、
ａ．  プロセッサ及びメモリと通信している前記少なくとも１つのセンサーが、前記患者から生患者データを取得し、
ｉ．  前記生患者データが、ビデオ記録及びオーディオ記録のうちの少なくとも１つを備える、少なくとも１つのセンサーと、
ｉｉ．  前記プロセッサ及び前記メモリと通信しているデータ処理モジュールであって、
ａ．  前記データ処理モジュールが、前記生患者データを処理された較正データに変換する、データ処理モジュールと、
ｉｉｉ．  前記データ処理モジュールと通信している較正モジュールであって、
ａ．  前記較正モジュールが、トレーニングされた較正システムを備え、
ｉ．  前記トレーニングされた較正システムが、複数の較正モデルを備え、
１．  前記複数の較正モデルの各々が、前記処理された較正データの少なくとも１つの態様に分類を割り当てるようにトレーニングされた複数のアルゴリズムを備え、
ｉｉ．  前記トレーニングされた較正システムが、前記患者の前記埋め込み医療デバイスについての較正勧告を出力するために、前記複数の較正モデルの前記分類を統合する、較正モジュールと
を備える、システム。
【請求項１０】
前記較正モジュールを実行するプログラムが、前記少なくとも１つのセンサーから遠隔にあるデバイス上で実行される、請求項８に記載のシステム。
【請求項１１】
前記埋め込み医療デバイスが脳深部刺激デバイス（ＤＢＳ）を備える、請求項８に記載のシステム。
【請求項１２】
前記較正勧告が、振幅、パルス幅、レート、極性、電極選択、刺激モード、サイクル、電源、及び計算された電荷密度のうちの少なくとも１つを備える前記ＤＢＳのプログラミング・セッティングの変更を含む、請求項１０に記載のシステム。
【請求項１３】
前記生患者データがビデオ記録を備え、前記ビデオ記録が、単純な表情を作っている間の前記患者の顔の記録、前記患者の瞬目率の記録、前記患者の注視変動の記録、着座している間の前記患者の記録、準備された文を読んでいる間の前記患者の顔の記録、反復的なタスクを実施している前記患者の記録、及び歩いている間の前記患者の記録のうちの少なくとも１つを備える、請求項８に記載のシステム。
【請求項１４】
前記生患者データがオーディオ記録を備え、前記オーディオ記録が、準備された文を繰り返して言っている前記患者の記録、センテンスを読んでいる前記患者の記録、及び破裂音を発している前記患者の記録のうちの少なくとも１つを備える、請求項８に記載のシステム。
【請求項１５】
前記複数のアルゴリズムが、機械学習システムを使用してトレーニングされる、請求項８に記載のシステム。
【請求項１６】
前記機械学習システムが、畳み込みニューラル・ネットワーク、リカレント・ニューラル・ネットワーク、長期短期記憶ネットワーク、サポート・ベクター・マシン、及びランダム・フォレスト回帰モデルのうちの少なくとも１つを備える、請求項１５に記載のシステム。
【請求項１７】
神経障害と診断された患者における前記神経障害の進行を監視するためのシステムであって、前記システムは、
ｉ．  プロセッサ及びメモリと通信している少なくとも１つのセンサーであって、
ａ．  プロセッサ及びメモリと通信している前記少なくとも１つのセンサーが、前記患者から生患者データを取得し、
ｉ．  前記生患者データが、ビデオ記録及びオーディオ記録のうちの少なくとも１つを備える、少なくとも１つのセンサーと、
ｉｉ．  前記プロセッサ及び前記メモリと通信しているデータ処理モジュールであって、
ａ．  前記データ処理モジュールが、前記生患者データを処理された診断データに変換する、データ処理モジュールと、
ｉｉｉ．  前記データ処理モジュールと通信している進行モジュールであって、
ａ．  前記進行モジュールが、トレーニングされた診断システムを備え、
ｉ．  前記トレーニングされた診断システムが、複数の診断モデルを備え、
１．  前記複数の診断モデルの各々が、前記処理された診断データの少なくとも１つの態様に分類を割り当てるようにトレーニングされた複数のアルゴリズムを備え、
ｉｉ．  前記トレーニングされた診断システムが、前記患者についての現在の進行スコアを発生するために、前記複数の診断モデルの前記分類を統合し、
ｉｉｉ．  前記進行モジュールが、前記患者についての前記現在の進行スコアを早期の時点において発生された前記患者からの進行スコアと比較して、現在の疾患進行状態を作成し、前記疾患進行状態を出力する、進行モジュールと
を備える、システム。
【発明の詳細な説明】
【技術分野】
【０００１】
特許協力条約（ＰＣＴ）特許出願
関連出願の相互参照
本出願は、参照により本明細書に組み込まれる、２０１７年１０月１７日に出願された米国仮特許出願第６２５７３６２２号、及び２０１８年１０月１７日に出願された米国特許出願第１６１６２７１１号の優先権を主張する。
【背景技術】
【０００２】
神経性疾患の総経済負担は、現在、米国において毎年８０００億ドルを上回ると推定される。これらの疾患の早期検出及び診断により、一般に、より早期の処置と、個人の生涯にわたるケアの総コストの減少とがもたらされる。
【０００３】
現在、神経性疾患の診断には、内科医の関与が必要である。米国では、２０２５年までに９万から１４万人の内科医が不足することが予測される。世界的に、２０３５年までに１２９０万人を上回るヘルスケア提供者の不足が予想される。
【０００４】
さらに、多くの一般開業医（ＧＰ：ｇｅｎｅｒａｌ  ｐｒａｃｔｉｔｉｏｎｅｒ）内科医は、運動障害を正確に診断するための必要なトレーニングが不足している。たとえば、英国で行われた１９９９年の研究は、ＧＰがパーキンソン病の診断時に５０％弱の誤り率を有することを発見した（非特許文献１）。この実情は部分的に、大部分の運動障害の場合、発症における症状が極めて微細であり得、一般に、ＧＰが患者の神経系の問題を疑うことをもたらすであろう（頭部への打撲などの）患者への明らかな外傷がないという事実による。
【０００５】
それらの疾患を専門とする神経科医は、それらの診断においてはるかにより正確であるが、一般神経科医でも、かなりの誤り率を有する。したがって、神経障害を正確に診断することができ、したがって、ＧＰが初期診断を行うのを援助することと、潜在的誤診から生じる損失及び苦しみを低減することとの両方によって我々の医療システムに対する負担を低減する、診断システムが必要である。
【０００６】
さらに、そのような疾患に苦しむ多くの患者は、遠隔地にいるか、又は他の場合、それらの疾患の正確な診断を確保するためのトレーニングされた神経科医に行き着くことが困難であると思っている。したがって、単純な診療所環境において又は患者自身の家において、場合によってはトレーニングされていない個人によって使用され得る、正確な診断を与える何らかのシステムが必要である。
【０００７】
運動障害に加えて、めまい（ｄｉｚｚｉｎｅｓｓ）は、診断すべき一般的で困難な症状である。眩暈（ｖｅｒｔｉｇｏ）及び不安定など、めまい及び関係する愁訴の罹患率は、おそらく、４０％から５０％の間である（非特許文献２）。救急部門（ＥＤ：ｅｍｅｒｇｅｎｃｙ  ｄｅｐａｒｔｍｅｎｔ）における主訴としてのめまいは、毎年ほぼ３９０万の訪問があり、めまいは、すべてのＥＤ訪問の最大５０％を構成する症状であり得る。プライマリー・ケア・オフィスに関して、毎年、めまいの主訴をもつ８百万に近い訪問があり、高齢者の５０％は、めまいについて診察を受ける。
【０００８】
臨床医にとっての課題には２つの部分があり、１つは、患者による「めまいがする（ｄｉｚｚｙ）」という語の幅広い使用にあり、第２は、それらの症状を現し得る根本的原因の範囲の広さによるものである。根本的原因は良性のもの（風邪）から致命的なもの（脳卒中）にまで及ぶ。
【０００９】
人々は、極めて一般的に、眩暈（動きの幻覚）、失神寸前（意識朦朧）又は運動失調（平衡又は協調の欠如）など、様々なより具体的な症状のために、万能な（ｃａｔｃｈ−ａｌｌ）語として「めまいがする」という語を使用する。しばしば、患者自身が、医師からの熟練した確認を受けても、はっきりとはせず、「めまいがする」という語を使用することに逆戻りする。
【００１０】
他方の第１の課題は、めまいの多種多様な原因に関係する。これらは、おそらく、内耳／前庭（良性発作性頭位眩暈、前庭神経炎、メニエール病）、神経性（急性脳卒中、脳腫瘍）、心臓性（心不全、低血圧）、精神性（不安）、及び様々な他の医学的障害によるものである。
【００１１】
第２の課題は、特に救急部門、緊急ケア、診療所、又は病院において救急ケアを提供する内科医（一般的に、救急内科医、神経科医及び内科病院医師）にとって、身体的検査である。これは、異常眼球運動から正常眼球運動を弁別することを中心とする。実際、慣れた神経科医でも、眼球運動を正確に検査するのが困難であることがある。運動性音声生成又は顔対称性における極めて微細な異常もあり得る。
【００１２】
上記３つの課題が融合して、最終的に、急性評価、すなわち、このめまいは命にかかわるか否か？になる。病歴及び身体的検査のみに沿って診断することが困難である、めまいの危険な原因は、後部循環に影響を及ぼす急性脳卒中である。
【００１３】
実際、後方循環（椎骨脳底動脈系が脳幹及び脳の後部に血液に供給すること）に影響を及ぼす脳卒中が、前方循環（頸動脈系が脳の前部に血液を供給すること）において生じる脳卒中よりも頻繁にＥＤ中で見逃されることを示すデータがある（非特許文献３）。
【００１４】
さらに、内科医は、迅速に及び正確にてんかん発作を診断するのに苦労する。てんかん発作は、大脳皮質において生じる短時間の電気的事象（平均持続時間約１分）であり、過度の量（ｖｏｌｕｍｅ）のニューロンが過同期的に脱分極する（「発火する（ｆｉｒｉｎｇ）」）ことによって引き起こされる。１０人中の１人が、その人の人生のある時点において発作を有するが、母集団の１００人中約１人（１％）のみが、てんかんを発現させる。てんかんは、再発する非誘発性の発作に向かう永続的な性向である。
【００１５】
時々、患者が、観測者にとって発作に似ている発現を有するが、それらはてんかん発作でない。これらの「非てんかん事象」は、したがって、さらに、生理的（気絶、心臓不整脈など）と心因性とにカテゴリー分類されなければならない。心因性事象は、てんかんを中心とするてんかん発作の代わりの最も一般的な診断であり、さらに説明される。
【００１６】
心因性事象は、観測者にとっててんかん発作（ＥＳ：ｅｐｉｌｅｐｔｉｃ  ｓｅｉｚｕｒｅ）に似ている（すなわち、地面に従う、痙攣するなど）、生理的に異なる状態である。残念ながら、この障害は、医学文献において複数の名前を有し、これらの状態に苦しむ患者及びこれらの状態を処置する非専門家にとって混乱を増す。これらの名前は、偽発作、非てんかん発作、心因性発作、心因性非てんかん発作、非てんかん発作障害、又は非てんかん行動発作を含む。
【００１７】
これらの用語は同義である。本説明において、選好される用語は、非てんかん行動発作（ＮＢＳ：ｎｏｎｅｐｉｌｅｐｔｉｃ  ｂｅｈａｖｉｏｒａｌ  ｓｐｅｌｌ）である。
【００１８】
非てんかん行動発作は、一般にＮＢＳの発症より前の重い感情的外傷に由来する、心理的状態である。いくつかの場合には、その外傷は、ＮＢＳの発症より４０〜５０年前に発生していることがある。不明瞭な理由での感情的外傷は、身体的症状の中に現れる。このプロセスは、中枢神経系が感情的痛みを身体的症状に転換することを指す「転換性障害」と広く呼ばれる。これらの身体的症状は、しばしば、たとえば、慢性の解明されていない腹痛又は頭痛として現れることがある。時々、感情的痛み又はストレスは、痙攣すること又は意識の変容であるように見えるものの発現の中に現れ、これらの事象はＮＢＳである。
【００１９】
ＮＢＳを診断するためのゴールドスタンダードは、入院患者のビデオ脳波記録（Ｖ−ＥＥＧ：ｖｉｄｅｏ−ｅｌｅｃｔｒｏｅｎｃｅｐｈａｌｏｇｒａｐｈｙ）監視ユニット（ＥＭＵと同義の用語）を介することである。これは、時間、労働及びコスト集約的手順である。患者は、一般に、入院患者として病院に３〜７日の間入院する。
【００２０】
時間同期デジタル・ビデオ、頭皮ＥＥＧ、心電図（ＥＣＧ：ｅｌｅｃｔｒｏｃａｒｄｉｏｇｒａｍ）及びパルス酸素測定がすべて、習慣的事象を記録するために連続的に毎日２４時間記録される。
【００２１】
診断は、主に、「発作性ＥＥＧ」パターンに依拠する。発作性（ｉｃｔａｌ）又は発作（ｉｃｔｕｓ）は、事象を指す。したがって、これは、実際の発現中に脳波において起こっているものを指す。たいていのてんかん発作では、ＥＥＧの固有の変化があり、すなわち、発作は、自己限定性律動的焦点パターン（ｓｅｌｆ−ｌｉｍｉｔｅｄ  ｒｈｙｔｈｍｉｃ  ｆｏｃａｌ  ｐａｔｔｅｒｎ）又は一般化されたパターンとして現れる。一般に、脳波周波数のいくらかの発作後低速化が、その後数分間あり、次いで、正常パターンの再開がある。
【００２２】
対照的に、ＮＢＳ中に、事象中のＥＥＧの変化がない。一般に、重ね合わされた運動／筋肉アーティファクトを伴う覚醒状態の正常背景律動がある。
【００２３】
神経科医は、デジタル・ビデオとともにこの「発作性ＥＥＧ」を考慮する。神経科医は、ＥＳ及びＮＢＳがそれらの身体的徴候（ｍａｎｉｆｅｓｔａｔｉｏｎ）において固有の差異を有することを長く認識している。さらに、適切な教育、トレーニング、及び大量の実例に接することがある場合、神経科医は、デジタル・ビデオ又は直接の観測からＮＢＳを診断することにおいてかなり正確になることができる。これらの神経科医は、通常、神経学研修期間の後に１〜２年のフェローシップを終え、てんかん学者と呼ばれる。てんかん学者を含む、すべての神経学提供者の不足が迫りつつあることが予測される。
【００２４】
この身体知識がある場合でも、ＥＭＵにおける診断不確実性があり得る。たとえば、大脳皮質の焦点領域のみを伴い、意識を変容しない、「単純部分発作」（ＳＰＳ：ｓｉｍｐｌｅ  ｐａｒｔｉａｌ  ｓｅｉｚｕｒｅ）と呼ばれる発作のタイプがある。ＳＰＳの１５％のみが、固有の発作性ＥＥＧパターンを有する。これらの場合、患者の病歴、画像化及び他の発作タイプが、診断に重要である。別の実例は、前頭葉内側部発作である。これらは、頭蓋骨の直下にもはやニューロンがない、正中線における前頭葉の表面上で発生する発作である。皮肉なことに、これらの領域からの発作は、奇妙な発作タイプ（旋回する運動、意図的のように見える行動変化など）を生じ得、ＥＥＧの生物物理学により、一般に、はっきりした発作性ＥＥＧの変化を生成しないようになっている。
【００２５】
ＮＢＳの負担は大きい。「薬物耐性」てんかんのための特殊化されたてんかんセンターを紹介される患者の約２５％が、実際にＮＢＳを有することがわかっている。ＮＢＳを診断することにおいて、１〜７年の平均的な遅延がある。これが、不要な抗発作薬物曝露、副作用及びヘルスケア利用をもたらす。
【００２６】
追加の課題は、神経障害の進行を経時的に監視することである。この進行を定量的に測定する能力は、これらの疾患のための処置の開発及び投与における重大な影響を有し得る。さらに、疾患の状態を監視する能力は、患者が、専門家の訪問を必要とすることなしに自身の処置を調節することを可能にし得る。
【先行技術文献】
【特許文献】
【００２７】
【特許文献１】米国特許第８，０２４，０４９号明細書
【非特許文献】
【００２８】
【非特許文献１】Jolyon Meara et. Al., Accuracy of Diagnosis in Patients with presumed Parkinson’s disease; Age and Ageing (1999); 28:99-102
【非特許文献２】Front Neurol. 2013;4:29
【非特許文献３】Stroke. 2016;STROKEAHA.115.010613
【非特許文献４】Krizhevsky, A., Sutskever, I., and Hinton, G. E. (2012). Imagenet classification with deep convolutional neural networks. In Advances in Neural Information Processing Systems (NIPS 2012)
【非特許文献５】Jain, L. and Medsker, L. (1999). Recurrent Neural Networks: Design and Applications (1st ed.). CRC Press, Inc., Boca Raton, FL, USA
【非特許文献６】Hochreiter, S. and Schmidhuber, J. (1997). Long Short-Term Memory. Neural Comput. 9, 8 (November 1997), 1735-1780
【非特許文献７】Breiman, L. (2001). Random Forests. Machine Learning. 45 (1): 5-32
【非特許文献８】Viola, P. and Jones, M. (2001). Robust real-time face detection. International Journal of Computer Vision (IJCV),57(2):137-154
【非特許文献９】Ren, S., Cao, X., Wei, Y., Sun, J. (2014). Face alignment at 3000 fps via regressing local binary features. IEEE Conference on Computer Vision and Pattern Recognition (CVPR), pp. 1685-1692
【非特許文献１０】Goodfellow, I., Bengio, Y., and Courville, A. (2016). Deep Learning. The MIT Press
【非特許文献１１】Hearst, M. (1998). Support Vector Machines. IEEE Intelligent Systems 13, 4 (July), 18-28
【非特許文献１２】Zhang, C. and Ma, Y. (2012). Ensemble Machine Learning: Methods and Applications. Springer Publishing Company
【非特許文献１３】Zhang, Y. (2017). Can a Smartphone Diagnose Parkinson Disease? A Deep Neural Network Method and Telediagnosis System Implementation. Parkinson’s Disease, vol. 2017
【非特許文献１４】Quinlan, J. (1986). Induction of Decision Trees. Machine Learning 1 (1): 81-106
【非特許文献１５】Picillo et. al. (2016), Programming Deep Brain Stimulation for Parkinson’s Disease: The Toronto Western Hospital Algorithms, Brain Stimulation 9(3), 425-437
【発明の概要】
【発明が解決しようとする課題】
【００２９】
したがって、患者における特有の神経障害を、患者又は内科医がそのような状態を診断することにおける何らかの事前トレーニングを有する必要なしに、システム単独で又は内科医とともにのいずれかで、正確に診断することができるシステムが必要である。
【課題を解決するための手段】
【００３０】
本発明の一態様は、患者の正確な及び迅速な診断を与えるシステムを提供することである。いくつかの実施例では、本システムは、脳卒中の症状を呈する患者、潜在的運動障害に苦しむ患者、発作を最近経験した患者、及びめまいに苦しむ患者を診断するために適合される。
【００３１】
本発明の別の態様は、患者に埋め込まれた医療デバイスの有用なプログラミング勧告を提供するシステムを提供することである。いくつかの実施例では、そのようなプログラミング勧告は、埋め込みデバイスの治療有効性を改善し、又は不要な副作用を低減する。いくつかの実施例では、そのような埋め込み医療デバイスは、脳深部刺激デバイス（ＤＢＳ：ｂｒａｉｎ  ｓｔｉｍｕｌａｔｉｏｎ  ｄｅｖｉｃｅ）を含み、ＤＢＳは、パーキンソン病又は脳卒中に関連する症状を改善するために埋め込まれ得る。
【００３２】
本発明のいくつかの実施例では、本システムは、診断に関係する患者からのデータを収集するための一連のセンサーを備える。これらのセンサーは、ビデオ又はスチールカメラなど、光センサー、標準的なセルラーフォンで見られるものなど、オーディオ・センサー、ジャイロスコープ、加速度計、圧力センサー、及び、赤外線など、他の電磁波長に反応するセンサーを含み得る。
【００３３】
いくつかの実施例では、これらのセンサーは、人工知能システムと通信している。好ましくは、このシステムは、一度トレーニングされると、様々なセンサーからの入力を処理し、分析に基づいて患者についての診断予測を生成する機械学習システムである。このシステムは、次いで、患者又は内科医に診断を示す出力を生成し得る。いくつかの実施例では、出力は、特定の疾患についての単純な「はい」、「いいえ」、「不確定（ｉｎｃｏｎｃｌｕｓｉｖｅ）」診断であり得る。代替実施例では、出力は、最も可能性がある疾患のリストであり得、確率スコアが各疾患に割り当てられる。そのようなシステムの１つの重要な利点は、偏見のない様式で診断に到達するようにシステムをトレーニングすることによって、システムは、疾患の新しい臨床兆候を識別すること、又は、症状の前に識別されていない組合せを認識することが可能であり得ることであり、これにより、システムは、エキスパート臨床医でさえ正確に診断することに失敗することがある障害を正確に診断することが可能になる。
【００３４】
疾患の進行が監視される実施例では、本発明のシステムは、患者に「重大度」スコアを割り当てることと、そのスコアを早期の時点においてシステムによって導出されたスコアと比較することとによって、動作し得る。そのような情報は、これにより、患者が、たとえば、処置の過程の成果を監視すること又はより侵襲的な形式の処置が正当化され得るかどうかを決定することが可能になるので、患者に有益であり得る。
【００３５】
本発明の別の態様では、本発明の診断システムは、遠隔でアクセス可能なロケーションに収容され、診断を与えるのに必要なデータ処理及び分析のすべてを実施することが可能である。したがっていくつかの実施例では、リソースへのアクセスが限定されている又は遠隔ロケーションにいる内科医又は患者は、彼らにとって利用可能なセンサー上で収集された生データを提出し、システムから診断を受け取り得る。
【００３６】
したがって、本発明の一実施例は、患者を診断するためのシステムを提供することであり、本システムは、プロセッサ及びメモリと通信している少なくとも１つのセンサーであって、プロセッサ及びメモリと通信している前記少なくとも１つのセンサーが、前記患者から生患者データを取得し、前記生患者データが、ビデオ記録及びオーディオ記録のうちの少なくとも１つを備える、少なくとも１つのセンサーと、プロセッサ及びメモリと通信しているデータ処理モジュールであって、前記データ処理モジュールが、前記生患者データを処理された診断データに変換する、データ処理モジュールと、データ処理モジュールと通信している診断モジュールであって、前記診断モジュールが、少なくとも１つのセンサーから遠隔にあり、前記診断モジュールが、トレーニングされた診断システムを備え、前記トレーニングされた診断システムが、複数の診断モデルを備え、前記複数の診断モデルの各々が、前記処理された診断データの少なくとも１つの態様に分類を割り当てるようにトレーニングされた複数のアルゴリズムを備え、前記トレーニングされた診断システムが、前記患者についての診断予測を出力するために、前記複数の診断モデルの分類を統合する、診断モジュールとを備える。
【００３７】
本発明の別の実施例は、そのようなシステムを提供することであり、前記診断モジュールが遠隔サーバ上に収容される。
【００３８】
本発明のまた別の実施例は、そのようなシステムを提供することであり、前記診断予測が信頼性値をさらに備える。
【００３９】
本発明のさらに別の実施例は、そのようなシステムを提供することであり、前記少なくとも１つのセンサーがモバイル・デバイス内に収容される。
【００４０】
本発明のまた別の実施例は、そのようなシステムを提供することであり、前記トレーニングされた診断システムが、機械学習システムを使用してトレーニングされる。
【００４１】
本発明のさらに別の実施例は、そのようなシステムを提供することであり、前記機械学習システムが、畳み込みニューラル・ネットワーク（たとえば、非特許文献４）、リカレント・ニューラル・ネットワーク（非特許文献５）、長期短期記憶ネットワーク（非特許文献６）、及びランダム・フォレスト回帰モデル（非特許文献７）のうちの少なくとも１つを備える。
【００４２】
本発明のまた別の実施例は、そのようなシステムを提供することであり、前記生患者データがビデオ記録を備える。
【００４３】
本発明のさらに別の実施例は、そのようなシステムを提供することであり、前記ビデオ記録が、反復的な運動を実施している患者の記録を備える。
【００４４】
本発明のまた別の実施例は、そのようなシステムを提供することであり、前記反復的な運動が、迅速な指のタッピング、手を開閉すること、手の回転、及びかかとのタッピングのうちの少なくとも１つを備える。
【００４５】
本発明のさらに別の実施例は、そのようなシステムを提供することであり、前記生患者データがオーディオ記録を備える。
【００４６】
本発明のまた別の実施例は、そのようなシステムを提供することであり、前記オーディオ記録は、プロンプトされたセンテンスを患者が声を出して読むことを備える。
【００４７】
本発明の追加の実施例は、患者における神経障害を診断するためのシステムを提供することであり、本システムは、プロセッサ及びメモリと通信している少なくとも１つのセンサーであって、プロセッサ及びメモリと通信している前記少なくとも１つのセンサーが、前記患者から生患者データを取得し、前記生患者データが、ビデオ記録及びオーディオ記録のうちの少なくとも１つを備える、少なくとも１つのセンサーと、プロセッサ及びメモリと通信しているデータ処理モジュールであって、前記データ処理モジュールが、前記生患者データを処理された診断データに変換する、データ処理モジュールと、データ処理モジュールと通信している診断モジュールであって、前記診断モジュールが、トレーニングされた診断システムを備え、前記トレーニングされた診断システムが、複数の診断モデルを備え、前記複数の診断モデルの各々が、前記処理された診断データの少なくとも１つの態様に分類を割り当てるようにトレーニングされた複数のアルゴリズムを備え、前記トレーニングされた診断システムが、前記患者についての診断予測を出力するために、前記複数の診断モデルの前記分類を統合する、診断モジュールとを備える。
【００４８】
本発明の別の実施例は、そのようなシステムを提供することであり、前記診断モジュールを実行するプログラムが、少なくとも１つのセンサーから遠隔にあるデバイス上で実行される。
【００４９】
本発明のまた別の実施例は、そのようなシステムを提供することであり、前記トレーニングされた診断システムが、運動障害を診断するようにトレーニングされる。
【００５０】
本発明のさらに別の実施例は、そのようなシステムを提供することであり、前記運動障害がパーキンソン病である。
【００５１】
本発明のまた別の実施例は、そのようなシステムを提供することであり、前記生患者データがビデオ記録を備え、前記ビデオ記録が、単純な表情を作っている間の患者の顔の記録、患者の瞬目率の記録、患者の注視変動の記録、着座している間の患者の記録、準備された文を読んでいる間の患者の顔の記録、反復的なタスクを実施している患者の記録、及び歩いている間の患者の記録のうちの少なくとも１つを備える。
【００５２】
本発明のさらに別の実施例は、そのようなシステムを提供することであり、前記生患者データがオーディオ記録を備え、前記オーディオ記録が、準備された文を繰り返して言っている患者の記録、センテンスを読んでいる患者の記録、及び破裂音を発している患者の記録のうちの少なくとも１つを備える。
【００５３】
本発明のまた別の実施例は、そのようなシステムを提供することであり、前記複数のアルゴリズムが、機械学習システムを使用してトレーニングされる。
【００５４】
本発明のさらに別の実施例は、そのようなシステムを提供することであり、前記機械学習システムが、畳み込みニューラル・ネットワーク、リカレント・ニューラル・ネットワーク、長期短期記憶ネットワーク、サポート・ベクター・マシン、及びランダム・フォレスト回帰モデルのうちの少なくとも１つを備える。
【００５５】
本発明の別の実施例は、患者における埋め込み医療デバイスを較正するためのシステムを提供することであり、本システムは、プロセッサ及びメモリと通信している少なくとも１つのセンサーであって、プロセッサ及びメモリと通信している前記少なくとも１つのセンサーが、前記患者から生患者データを取得し、前記生患者データが、ビデオ記録及びオーディオ記録のうちの少なくとも１つを備える、少なくとも１つのセンサーと、プロセッサ及びメモリと通信しているデータ処理モジュールであって、前記データ処理モジュールが、前記生患者データを処理された較正データに変換する、データ処理モジュールと、データ処理モジュールと通信している較正モジュールであって、前記較正モジュールが、トレーニングされた較正システムを備え、前記トレーニングされた較正システムが、複数の較正モデルを備え、前記複数の較正モデルの各々が、前記処理された較正データの少なくとも１つの態様に分類を割り当てるようにトレーニングされた複数のアルゴリズムを備え、前記トレーニングされた較正システムが、前記患者の前記埋め込み医療デバイスについての較正勧告を出力するために、前記複数の較正モデルの前記分類を統合する、較正モジュールとを備える。
【００５６】
本発明の別の実施例は、そのようなシステムを提供することであり、前記較正モジュールを実行するプログラムが、少なくとも１つのセンサーから遠隔にあるデバイス上で実行される。
【００５７】
本発明のまた別の実施例は、そのようなシステムを提供することであり、前記埋め込み医療デバイスが脳深部刺激デバイス（ＤＢＳ）を備える。
【００５８】
本発明のさらに別の実施例は、そのようなシステムを提供することであり、前記較正勧告が、振幅、パルス幅、レート、極性、電極選択、刺激モード、サイクル、電源、及び計算された電荷密度のうちの少なくとも１つを備える前記ＤＢＳのプログラミング・セッティングの変更を含む。
【００５９】
本発明のまた別の実施例は、そのようなシステムを提供することであり、前記生患者データがビデオ記録を備え、前記ビデオ記録が、単純な表情を作っている間の患者の顔の記録、患者の瞬目率の記録、患者の注視変動の記録、着座している間の患者の記録、準備された文を読んでいる間の患者の顔の記録、反復的なタスクを実施している患者の記録、及び歩いている間の患者の記録のうちの少なくとも１つを備える。
【００６０】
本発明のさらに別の実施例は、そのようなシステムを提供することであり、前記生患者データがオーディオ記録を備え、前記オーディオ記録が、準備された文を繰り返して言っている患者の記録、センテンスを読んでいる患者の記録、及び破裂音を発している患者の記録のうちの少なくとも１つを備える。
【００６１】
本発明のまた別の実施例は、そのようなシステムを提供することであり、前記複数のアルゴリズムが、機械学習システムを使用してトレーニングされる。
【００６２】
本発明のさらに別の実施例は、そのようなシステムを提供することであり、前記機械学習システムが、畳み込みニューラル・ネットワーク、リカレント・ニューラル・ネットワーク、長期短期記憶ネットワーク、サポート・ベクター・マシン、及びランダム・フォレスト回帰モデルのうちの少なくとも１つを備える。
【００６３】
本発明の別の実施例は、神経障害と診断された患者における神経障害の進行を監視するためのシステムを提供することであり、本システムは、プロセッサ及びメモリと通信している少なくとも１つのセンサーであって、プロセッサ及びメモリと通信している前記少なくとも１つのセンサーが、前記患者から生患者データを取得し、前記生患者データが、ビデオ記録及びオーディオ記録のうちの少なくとも１つを備える、少なくとも１つのセンサーと、プロセッサ及びメモリと通信しているデータ処理モジュールであって、前記データ処理モジュールが、前記生患者データを処理された診断データに変換する、データ処理モジュールと、データ処理モジュールと通信している進行モジュールであって、前記進行モジュールが、トレーニングされた診断システムを備え、前記トレーニングされた診断システムが、複数の診断モデルを備え、前記複数の診断モデルの各々が、前記処理された診断データの少なくとも１つの態様に分類を割り当てるようにトレーニングされた複数のアルゴリズムを備え、前記トレーニングされた診断システムが、前記患者についての現在の進行スコアを発生するために、前記複数の診断モデルの前記分類を統合し、前記進行モジュールが、前記患者についての前記現在の進行スコアを早期の時点において発生された前記患者からの進行スコアと比較して、現在の疾患進行状態を作成し、前記疾患進行状態を出力する、進行モジュールとを備える。
【００６４】
本発明のこれら及び他の実施例は、以下の説明及び付随する表とともに考慮されたとき、よりよく諒解され、理解される。しかしながら、以下の説明は、本発明の様々な実施例及びそれらの多数の具体的な詳細を示しながら、限定ではなく例として与えられることを理解されたい。多くの置換、変更、追加及び／又は再構成が、本発明の範囲内で、その趣旨から逸脱することなく行われ得、本発明は、すべてのそのような置換、変更、追加及び／又は再構成を含む。
【図面の簡単な説明】
【００６５】
【図１】人工知能ベースの診断システムのトレーニング手順の一実施例のブロック図である。
【図２】実際に使用される診断システムの一実施例のブロック図である。
【図３】本発明のシステムの１つの可能な実装形態を示す図である。
【図４】本発明のシステムの１つの可能な実施例を示す図である。
【発明を実施するための形態】
【００６６】
定義：
【００６７】
「Ｘ及びＹのうちの少なくとも１つを備える」という句は、Ｘが単独で選択される状況、Ｙが単独で選択される状況、及びＸとＹの両方が一緒に選択される状況を指す。
【００６８】
「信頼性値」は、特定の診断の正確さにおいて診断システムが有する相対的な信頼性を示す。
【００６９】
「モバイル・デバイス」は、自宅又はオフィスの外部で人によって携帯及び使用され得る電子デバイスである。そのようなデバイスは、限定はしないが、スマートフォン、タブレット、ラップトップ・コンピュータ、及びＰＤＡを含む。そのようなデバイスは、一般に、メモリに結合されたプロセッサと、タッチ・スクリーン又はキーボードなど、入力機構と、ディスプレイ・スクリーン又はオーディオ出力などの出力デバイスと、デバイスが他のコンピュータ・デバイスと通信することを可能にするＷｉ−Ｆｉ、ＢＬＵＥＴＯＯＴＨ（登録商標）、セルラー・ネットワーク、又はワイヤードＬＡＮ接続など、ワイヤード又はワイヤレス・インターフェース能力とを持つ。
【００７０】
ソフトウェア「モジュール」は、プロセッサ上で実行可能な、及び指定されたタスクを達成するように構成された、プログラム又はプログラムのセットを備える。モジュールは、自律的に動作し得るか、又はユーザがいくつかのコマンドを入力することを必要とし得る。
【００７１】
「サーバ」は、ネットワークを介して他のコンピュータ・システムにサービスを提供する、１つ又は複数のコンピュータ及び／又はデバイスなど、コンピュータ・システムである。
【００７２】
いくつかの実施例では、システムは、時間期間にわたって患者の挙動を記録するために使用されるセンサーの集合からなり、時間的シーケンスのデータを生成する。主要なシステムは、好ましくは、一般的にスマートフォン、タブレット、及びラップトップ上で利用可能な、ビデオ及びオーディオ・センサーを利用することを伴う。これらの主要なセンサーに加えて、利用可能なとき、レンジ・イメージング・カメラ、ジャイロスコープ、加速度計、タッチ・スクリーン／圧力センサーなどを含む他のセンサーが、機械学習及び診断システムに入力を与えるために使用され得る。関係するセンサー・データを使用して診断システムがトレーニングされると、システムにとって利用可能であるセンサー・データが多いほど、得られた診断がより正確である可能性があることが、当業者には明らかであろう。
【００７３】
したがって、いくつかの実施例では、機械学習システムの目的は、センサーから記録された時間的又は静的データを入力としてとり、診断の集合の各々のための確率スコアを出力として生成することである。システムは、診断確率の各々のための信頼性スコアをも出力し得る。さらに、システムは、脳深部刺激デバイスなど、埋め込みデバイスの治療有効性を最適化するために、そのようなデバイスを較正するために使用され得る。
【００７４】
上記で説明された課題に照らして、機械学習システムの１つの目標は、運動障害を含む、神経障害を検出するための費用がかからない手段として働くことである。最初に、システムの出力が、患者に関する決定を行うことにおいて内科医をガイドすることが予想されるが、この実情は、システムの正確さにおける信頼性が増大するにつれて変化し得る。システムは、最初に、危険な状態にある（ａｔ−ｒｉｓｋ）患者を識別するために主に使用されるので、システムは、偽陽性率が高くなる（特異度が低くなる）という犠牲を払って、低い偽陰性率（すなわち、高い感度）を有するように調整され得る。代替実施例では、本発明のシステムは、診断が行われた後に患者を監視するために使用され得る。そのような監視は、たとえば、疾患進行を決定し、運動障害を処置するために薬剤の適用量を推奨すること、又は脳深部刺激デバイスなどの埋め込み医療デバイスのための提案されるプログラミング変更など、患者のための処置計画をガイドするために使用され得る。
【００７５】
好ましくは、システムは、患者が実施することを要請されるテストの集合を含み、それらのテスト中にセンサー・データが記録される。これらのテストは、特定の診断情報を引き出すように設計される。いくつかの実施例では、データを収集するために使用されるデバイスは、好ましいテストを実施するようにユーザ又は患者をプロンプトする。そのようなプロンプトは、例として、テストの説明文を使用することによって、（利用可能な場合）デバイスのスクリーン上に表示されることになるビデオ・デモンストレーションを与えることによって、或いは、カメラの中心をどこに合わせるべきか示すためにデバイス上に表示される、ライブ・ビデオ・フィード上のフレーム又は他の輪郭を与えることによって行われ得る。好ましくは、システムは、それが（たとえば特定のセンサーが利用不可能である場合）毎回のテストからの結果を必要とすることなしに診断決定を生成することができるように、より柔軟である。
【００７６】
いくつかの実施例では、患者は、規則的又は不規則な時間間隔で一連のテストを繰り返し得る。たとえば、患者は、疾患の進行を継続的に監視するために、２週間に１回テストを繰り返し得る。データが複数の時間的ポイントから収集された場合、診断システムは、疾患の状態の評価を導出するために、すべてのデータポイントにわたって統合し得る。
【００７７】
いくつかの実施例では、機械学習システムは全体として、これらのテスト中に取得されたデータをとり、それらを使用して、所望の出力を生成する。他の実施例では、システムは、限定はしないが、年齢、性別、前の医学的病歴、家族の病歴、及び任意の追加又は代替医療テストからの結果を含む、患者に関する背景情報をも統合し得る。
【００７８】
機械学習システム全体は、単一のテスト又はテストのサブセットから診断を生成するために特定の機械学習アルゴリズムを利用する構成要素を含み得る。システムが複数の診断構成要素を含む場合、システムは、最終システム出力を生成するために、結果にわたって組み合わせるための追加の機械学習アルゴリズムを利用する。機械学習システムは、あらゆる患者について完了しなければならない必要とされるテストのサブセットを有し得、又は、機械学習システムは、任意の利用可能なテストからのデータを用いて動作するように設計され得る。さらに、システムは、診断を強化するために、追加のテストを規定し（ｐｒｅｓｃｒｉｂｅ）得る。
【００７９】
機械学習システムによって実施される処理は、デバイス上で、ローカル・デスクトップ・マシン上で、又は電子接続を介して遠隔ロケーションにおいて実施され得る。センサー・データを収集した同じデバイス上で処理が実施されないとき、任意の一般的に利用可能なワイヤード又はワイヤレス技術を使用して、データは、サーバなど、適切なコンピューティング・デバイスに送信されると仮定される。そのような場合、遠隔コンピュータは、初期デバイスからデータを受信し、そのようなデータを分析し、結果を適切なロケーションに送信するように構成されることが、当業者には明らかであろう。
【００８０】
いくつかの実施例では、潜在的疾患を識別するための機械学習システムは、データ処理方法と組み合わせられた１つ又は複数の機械学習アルゴリズムを備える。機械学習アルゴリズムは、一般に、データ前処理、データ正規化、特徴抽出、及び分類／回帰を含む、出力を得るための処理のいくつかの段階を伴う。システムの構成要素は、各センサーについて別個に実装され得、その場合、最終出力は、各センサーに関連する分類／回帰出力の融合から生じる。代替的に、センサー・データの一部が、特徴抽出段階において融合され、共有分類／回帰モデルに渡され得る。
【００８１】
以下では、処理の各段階が何を伴うかについて実例が与えられる。これは、各構成要素の役割を解明するのを助けることが意図されるが、含まれ得る方法の全範囲をカバーするとは限らない。
【００８２】
データ前処理：データを時間的に整合させること、時間及び空間におけるサブサンプリング又はスーパーサンプリング（補間）、基本的フィルタ処理。
【００８３】
データ正規化：最も重要な構成要素を識別し、収集にわたるデータを正規化するためのデータの一般的な組織化。顔検出／位置特定（たとえば、非特許文献８）、顔キーポイント検出（たとえば、非特許文献９）、音声検出、動き検出。
【００８４】
特徴抽出：入力データの関係する態様をキャプチャする、抽象的な特徴セットを得るためのフィルタ又は他の方法の適用。これの一実例は、画像シーケンスからのオプティカル・フロー特徴の抽出である。オーディオでは、メル周波数ケプストラム係数（ＭＦＣＣ：Ｍｅｌ  Ｆｒｅｑｕｅｎｃｙ  Ｃｅｐｓｔｒａｌ  Ｃｏｅｆｆｉｃｉｅｎｔ）が、音響信号から抽出され得る。特徴抽出は、分類／回帰モデル内に暗黙的に実装され得る（これは一般的に、深層学習方法の場合である）。代替的に、データを人工ニューラル・ネットワークに渡す前に、特徴抽出が実施され得る。
【００８５】
分類／回帰：所望の出力を生成するためにデータからトレーニングされる、教師あり（ｓｕｐｅｒｖｉｓｅｄ）機械学習アルゴリズム。分類の場合、システムの目標は、入力を前提として、診断のセットのうちのどれが可能性が最も高いかを決定することである。診断のセットは、好ましくは、疾患又は運動障害がないことを表すヌル・オプションを含む。いくつかの実施例では、分類システムの出力は、概して、各可能な診断に関連する確率である（すべての出力にわたる確率は、合計１になる）。回帰システムでは、実数値の出力が、独立して予測される。たとえば、システムは、障害の重大度を測定するための制度上のスケール（たとえば、パーキンソン病統一スケール（ＵＰＤＲＳ：Ｕｎｉｆｉｅｄ  Ｐａｒｋｉｎｓｏｎ’ｓ  Ｄｉｓｅａｓｅ  Ｒａｔｉｎｇ  Ｓｃａｌｅ））に当たるスコアを予測するようにトレーニングされ得る。当業者に明らかになるように、最終出力を生成するために使用され得る機械学習分類／回帰アルゴリズムは、（相対的に浅いか又は深い）人工ニューラル・ネットワーク（非特許文献１０）、リカレント・ニューラル・ネットワーク、サポート・ベクター・マシン（非特許文献１１）、及びランダム・フォレストである。システムはまた、出力を生成するために、機械学習方法のアンサンブルを利用し得る（非特許文献１２）。
【００８６】
様々なセンサーが、機械学習システムへの入力として使用されるべき患者からのデータを収集するために採用され得る。限定ではなく実例として、センサーは、センサーからのデータがどのように処理され得るかの実例とともに以下で説明される。これらの実例は、適用され得る分析のタイプを示すことが意図されるが、システムが含むことができる分析の全範囲をカバーするとは限らない。
【００８７】
画像分析（ビデオから）：患者のビデオ分析は、患者の顔及び顔の運動、口特有の運動、腕の運動、全身の運動、歩行分析（ｇａｉｔ  ａｎａｌｙｓｉｓ）、指のタッピングの分析を含み得る。ビデオ・カメラは、関係するコンテンツを完全にキャプチャする様式で配置される（たとえば、焦点がただ顔である場合、カメラは顔に近接するが、顔／頭部のどの部分をも欠落させず、又は、焦点が指のタッピングの間の手である場合、ただ患者の手がフレーム中にある）。システムは、デバイスのビデオ・ディスプレイ上のフレームなど、オンスクリーン・プロンプトを与えることによって、ユーザが適切な画像を収集するのを援助し得る。特定の身体ロケーションのビデオ・シーケンスが観測されていることを前提として、身体部分及びそれの下位構成要素（たとえば、顔並びに眼及び口などの顔の部分のロケーション）を正確に位置特定するために、初期処理が行われ得る。位置特定は、さらなる処理及び特徴抽出が実施される領域を制約するために使用され得る。
【００８８】
オーディオ分析（ビデオ又はマイクロフォンから）：ビデオ記録の過程全体にわたって、オーディオ信号も記録され得る。代替的に、ビデオとは無関係にオーディオ・データを取得するために、マイクロフォンが使用され得る。いくつかの場合には、焦点が純粋に運動にあるとき、オーディオ・データは使用されない。しかしながら、テストの他の態様では、オーディオ信号は、患者からの音声又は実施されているタスクに関係する他の音を含み得、診断情報を与え得る（たとえば、非特許文献１３）。さらに、患者は、すべての患者にわたって標準化されたオーディオ・サンプルを与えるために特定の文を声を出して読むように、又は特定の持続時間の間、反復的な破裂音（「ＰＡ」、「ＫＡ」、及び「ＴＡ」）を発するようにプロンプトされ得る。オーディオが使用されている場合、処理は、音声及び他の音の検出、オーディオ・データの統計的分析、特徴抽出のための信号のフィルタ処理を伴い得る。生オーディオ・データ及び／又は任意の導出された特徴は、次いで、さらなる特徴抽出を実施するためにリカレント・ニューラル・ネットワークに入力として与えられ得る。最終的に、中間表現は、所望の出力を発生するために別のニューラル・ネットワークに渡され得るか、又は、最終決定実行構成要素に渡される前に、他のモダリティからの特徴と組み合わせられ得る。
【００８９】
レンジ・イメージング・システム（たとえば、赤外線飛行時間、ＬｉＤＡＲなど）：レンジ・イメージング・システムは、視野内の物体の構造に関する情報を記録する。一般に、レンジ・イメージング・システムは、画像中のピクセルごとの深度値を記録する（ただし、ＬｉＤＡＲの場合、それらは、可視シーンのための完全な３Ｄポイント・クラウドを生成し得る）。物体位置特定、キーポイント検出、動き特徴抽出、及び分類／回帰決定を支援するために、２Ｄ深度データ又は３Ｄポイント・クラウド・データが、機械学習システムに統合され得る。多くの事例では、このデータは、それがしばしば前処理、正規化、及び特徴抽出を必要とするという点で、画像及びオーディオ・データと同様の様式で処理される。
【００９０】
ジャイロスコープ及び加速度計：たいていのハンド・ヘルド・デバイス（たとえば、スマートフォン及びタブレット）は、デバイスの配向及び運動を測定するセンサーを含む。これらのセンサーは、補足診断情報を与えるために機械学習システムによって使用され得る。特に、センサーは、患者が特定のタスクを実施している間、その患者に関する運動情報を記録するために使用され得る。運動データは、タスクのための主要なソース・データであり得、又は同時に記録されたビデオ・データと組み合わせられ得る。時間的運動データは、データを準備するための前処理段階と、機械学習アルゴリズムに渡され得る弁別表現を得るための特徴抽出とを使用して、ビデオ・データと同様のやり方で処理され得る。
【００９１】
タッチ・スクリーン／圧力センサー：多くのデバイスは、デバイスとの物理的相互作用をキャプチャするオンボード・タッチ・スクリーンを有する。いくつかの場合には、デバイスは、異なるタイプの触覚相互作用を区別することができる、より微細な分解能の圧力センサーをも有する。これらのセンサーは、診断情報の追加のソースとして機械学習システムに統合され得る。たとえば、患者は、タッチ・スクリーンと相互作用することを伴うタスクのシーケンスを実施するように指示され得る。患者の応答のタイミング、ロケーション、及び圧力は、補足特徴として機械学習システムにおいて統合され得る。
【００９２】
機械学習システムは、所与の入力セットについて、予想された出力を生成するようにトレーニングされ得る。いくつかの実施例では、生入力データを閲覧し、注釈を付けたエキスパート神経科医が、機械学習システムをトレーニングする際に使用されるデータ出力を定義する。代替的に（又は追加として）、いくつかのテストについての出力は、患者に関する知られている情報によって定義され得る。たとえば、患者が特定の運動障害を有することを知られている場合、その情報は、エキスパート神経科医が特定のテストのみから運動障害を診断することができない場合でも、特定のテストの入力に関連付けられ得る。健康な患者及び疾患のある患者の範囲をカバーする注釈付きデータセットが集められ、機械学習システムをトレーニング及び検証するために使用される。人工知能システムは、データから学習されないが、診断のために重要であると見なされる、追加のエキスパート知識（たとえば、エキスパート神経科医によって定義される補足決定ツリー（非特許文献１４）を統合し得る。
【００９３】
データセットは、システムが展開されたときに使用されるデバイスと同様のデバイス上で実施された記録から部分的に発生される。しかしながら、トレーニングは、他のソース（たとえば、運動障害あり又は運動障害なしの患者の既存のビデオ記録）から発生されたデータにも依拠し得る。
【００９４】
好ましくは、システムが動作すると、（患者の許可を伴って）追加のデータが、収集され得、機械学習システムの将来のバージョンをトレーニング及び改善するために使用され得る。このデータは、デバイス上に記録され、後で永続的コンピュータ・ストレージに転送され得、或いは、リアル・タイム又はほぼリアル・タイムでオフ・デバイス・ストレージ・システム（ｏｆｆ  ｄｅｖｉｃｅ  ｓｔｏｒａｇｅ  ｓｙｓｔｅｍ）に送信され得る。転送の手段は、任意の一般的に利用可能なワイヤード又はワイヤレス技術を含み得る。
【００９５】
いくつかの実施例では、所望の分類／回帰タスクを実施するために、深層学習手法が使用され得る。この場合、深層学習システムは、問題に関係する抽象的な特徴表現を内部的に発生する。特に、時間的データは、深い抽象的な特徴表現を得るために、長短期記憶（ＬＳＴＭ：ｌｏｎｇ  ｓｈｏｒｔ−ｔｅｒｍ  ｍｅｍｏｒｙ）などのリカレント・ニューラル・ネットワークを使用して処理され得る。次いで、この特徴表現は、最終分類又は回帰出力を得るために、標準的な深層ニューラル・ネットワーク・アーキテクチャに与えられ得る。
【００９６】
次に図を参照すると、本発明の一実施例のブロック図が説明される。図１は、本発明の人工知能システムがどのようにトレーニングされ得るかの一実例を示す。第１に、生データ（１０１）は、何人かの健康な個人から並びに（１つ又は複数の）関心疾患と診断された個人から収集される。そのようなデータは、ビデオ、オーディオ、又はタッチ・ベースのセンサーを含む、いくつかの異なるセンサー・タイプから収集され得る。好ましくは、複数の異なるタイプのデータが、上記で説明されたように各センサーから収集される。トレーニング・プロセス中に、データは、次いで、関係する疾患を診断することにおいてトレーニングされた専門家によって分類される（１０２）。この分類は、（パーキンソン病に関係する特定のタスクのためにＵＰＤＲＳスケールを使用することなど）実施されたテストに固有であり得、又は、この分類は、問題になっている（ａｔ  ｉｓｓｕｅ）特定のテストが疾患を示すかどうかを問わず、患者の全体的な診断に関係する単純なバイナリ指定であり得る。
【００９７】
次いで、この生データは、データ処理（１０３）を受ける。データ処理が、データを収集するために使用されたデバイス上で行われ得るか、又は、生データが、遠隔サーバで処理されるために任意のワイヤード又はワイヤレス技術を使用して遠隔サーバに送信され得ることは、当業者には明らかであろう。また、特徴抽出が、使用された特定の機械学習システムに依存して、システムのデータ処理段階の一部として実施され得るか、又はトレーニング及びモデル発生段階中に機械学習システムによって実施され得ることは、明らかであろう。さらに、上記の（１０２）において説明された分類ステップは、データが処理される前よりもむしろ後に実施され得ることが可能である。
【００９８】
好ましくは、本発明のシステムは、診断モデルのトレーニングを容易にするために、特定の神経障害を有するものとして分類された被験者を、「健康」として分類された被験者と比較する。
【００９９】
いくつかの実施例では、センサー・データは、何らかのアクション（たとえば、振戦における顎偏位、指のタッピング・レート、反復的音声レート、顔の表情など）に関連する測定値を抽出するために、画像処理、信号処理、又は機械学習を使用して処理され得る。次いで、これらの測定値は、システムを介して収集された又は様々な障害についての文献において参照された、健康な患者及び疾患のある患者のための規範値と比較され得る。一実例として、パーキンソン病のための共通音声テストは、５秒内でできるだけ多くの回数、音節（たとえば、「ＰＡ」）を繰り返し言うことである。システムは、このタスクを完了する人のオーディオを記録することになり、５秒ウィンドウ内の発話の総数をカウントするために信号処理又は機械学習方法を使用することになる。総発話カウントを、健康な人々の母集団にわたって観測されたカウントの分布と比較することによって、診断が得られ得る。さらに、この測定値は、追加のセンサー・データから抽出された他の特徴と場合によっては組み合わせられる、変動する測定値の集合から診断を行うように学習するダウンストリーム機械学習システムのための特徴として働き得る。
【０１００】
データが準備されると、データは、複数の機械学習システムをいくつかの分類モデル（１０４）を発生するようにトレーニングするために使用され、分類モデル（１０４）は、組み合わされたとき、予測診断モデルを生成するために使用される。好ましくは、トレーニングされた診断モデルの各々は、収集された患者データの単一の態様（又は態様のサブセット）に焦点を当てる。たとえば、診断モデル１は、患者の顔のビデオの瞬目率のみに焦点を当て得、診断モデル２は、反復的な指のタッピングの回数テストに焦点を当て得る。好ましくは、そのような診断モデルは、ある神経障害を持つものとして分類された被験者からのデータを、「健康」として分類された被験者からのデータと比較することによって、トレーニングされる。好ましくは、多数のそのようなトレーニングされた診断モデルが、各起こり得る疾患について発生される。そうすることにより、システム全体が、個別のテストが不確定であるか又は欠けている事例に適応することを可能にする。次いで、これらのトレーニングされた診断モデルによって生成された分類は、追加の人工知能（ＡＩ）システムによってアグリゲートされて（１０５）、最終予測診断モデル（１０６）を生成する。
【０１０１】
展開されると、トレーニングされたシステムは、患者についての予測診断を生成するために使用され得る（図２）。好ましくは、データ取得（２０１）ステップ及び処理（２０２）ステップは、診断システムのトレーニング中に使用された方法と同様であるか又は同等である。処理されると、システムは、関係するトレーニングされた診断モデルにデータを渡し、それによって、各モデルは、上記で説明されたトレーニングの結果に基づいてデータに分類器を割り当てる（２０３）。次いで、各診断モデルの出力はアグリゲートされ（２０４）、システムは、それによって予測診断出力を生成する（２０５）。
【０１０２】
展開されたときに、データ取得、処理、トレーニング、及び診断のステップは、データを収集するために使用されたデバイス上で実施され得るか、又は、任意の知られているワイヤード又はワイヤレス技術を使用してあるデバイスから別のデバイスにデータを送信することによって、異なるデバイス上で実施され得ることが、当業者には明らかであろう。
【０１０３】
図３は、神経障害を潜在的に有し得る患者を診断するための本発明のシステムの１つの可能な実装形態を示す。第１に、ユーザは、セルフォン又はタブレット・コンピュータなど、モバイル・デバイスに、本発明のプログラムを実行することができるアプリケーションを稼働するように命令する（３０１）。次いで、ユーザは、診断されるべき被験者に対して一連のテストを実施するようにプロンプトされる（３０２）。ユーザ及び被験者が、同じ人又は異なる人であり得ることは明らかであろう。この実例では、アプリケーションは、ユーザに３つのテスト、すなわち、デバイスの内蔵カメラを使用して様々な顔の表情を記録することに焦点を当てるテスト、デバイス内に装備された加速度計を使用して微細運動性制御に焦点を当てるテスト、及びユーザにスクリーン上に表示されたセンテンスを読ませ、デバイスのマイクロフォンを使用して音声を記録することによる音声パターンに焦点を当てるテストを実施するようにプロンプトした。ユーザがプロンプトされたテストを実施するにつれて、関係するデータが収集される（３０３）。この実例では、データは、次いで、遠隔クラウド・サーバに送信され、ここで、本発明のトレーニングされたＡＩプログラムが、データを処理及び分析して（３０４）、特定のテストに基づく臨床結果を生成する（３０５）。次いで、個別の臨床結果は、トレーニングされたＡＩプログラムによってアグリゲートされて（３０６）、ユーザに出力される最終臨床結果を生成する（３０７）。追加のセンサー入力も使用され得ること、及び任意の個別のＡＩプログラムが、個別の臨床結果を生成するために１つ又は複数のセンサーからのデータを組み込み得ることが、当業者には明らかであろう。トレーニングされたＡＩプログラムは、データを収集するために使用されたデバイスが、ストレージが完全なアプリケーションを稼働するために十分な算出能力を有するという条件で、そのデバイスに格納され得ることがさらに明らかであろう。
実施実例（Ｗｏｒｋｉｎｇ  Ｅｘａｍｐｌｅ）：
【０１０４】
以下の実施実例は、本発明の例示的な一実施例を与えており、いかなる形でも本発明の範囲を限定するものではない。これは、運動障害を診断する汎用システムの１つの特定の実施例である。そのような障害は、限定はしないが、パーキンソン病（ＰＤ）、脳血管性ＰＤ、薬物誘発ＰＤ、多系統萎縮症、進行性核上性麻痺、大脳皮質基底核症候群、前頭側頭型認知症、心因性振戦、心因性運動障害、及び正常圧水頭症；フリードライヒ運動失調症、脊髄小脳変性症１〜１４型、先天性Ｘ連鎖運動失調症、ビタミンＥ欠乏を伴う成人発症の運動失調、毛細血管拡張性運動失調症、及びカナバン病を含む、運動失調；ハンチントン病、神経有棘赤血球症、良性遺伝性舞踏病、及びレッシュ−ナイハン症候群；オッペンハイムの捻転ジストニア、Ｘ連鎖ジストニアパーキンソン症候群、ドーパ反応性ジストニア、頭頸部ジストニア、急速発症ジストニアパーキンソン症候群、ニーマンピック病Ｃ型、鉄沈着を伴う神経変性症、痙攣性発声障害、及び痙性斜頸を含む、ジストニア；遺伝性驚愕病、ウンフェルリヒト−ルントボルク病、ラフォラ小体病、間代性筋痙攣、クロイツフェルト−ヤコブ病（家族性及び散発性）、及び歯状核赤核淡蒼球ルイ体萎縮症（ＤＲＰＬＡ：Ｄｅｎｔａｔｏｒｕｂｒａｌ−ｐａｌｌｉｄｏｌｕｙｓｉａｎ  ａｔｒｏｐｈｙ）；エピソード的運動失調１型及び２型、運動誘発性、非運動誘発性、及び労作性を含む発作性ジスキネジア；トゥレット症候群及びレット症候群；本態性振戦、原発性（ｐｒｉｍａｒｙ）頭部振戦、及び原発性音声振戦を含む。
【０１０５】
トレーニング・プロセスは、６つの主要な段階、１）データ取得、２）データ注釈、３）データ準備、４）診断モデルをトレーニングする、５）トレーニング・モデルのアグリゲーション、及び６）モデル展開を伴う。概して、パーキンソン病を診断するために複数のテストが使用され、したがって、これらの５つの段階の詳細は、テストごとにいくぶん異なり得る。以下の方法は、（たとえば、スマートフォン又はコンピュータ上の）標準的なビデオ・カメラを介して収集され得るデータのみを利用する。しかしながら、他のセンサーからのデータが、さらなる入力として追加され得る。
１．データ取得
【０１０６】
機能的マイクロフォンとともにビデオ・カメラを使用して、テストの範囲が記録され得る。これらのデータを記録するための手順は、患者ごとに一貫しているべきである。これらのビデオ記録は、ＰＤを診断するためのモデルをトレーニングするために使用され、新しい患者の診断を行うときに、展開されるシステムのための入力として働く。好適なテストは、以下のテストに分解され得る（そのうちのいくつかは、複数の記録を必要とし得る）が、より少ないテスト又は代替のテストも、診断の正確さを維持しながら実施され得ることが、当業者には明らかであろう。
【０１０７】
アクションのシーケンスをプロンプトしている間の患者の顔のクローズアップ・ビデオを記録する。このテストの目標は、静止時（ａｔ  ｒｅｓｔ）の顔、単純な表情を作っている顔、瞬目率情報、及び注視変動（左右、上下、輻輳（ｃｏｎｖｅｒｇｅｎｃｅ））を含んでいるビデオを収集することである。
【０１０８】
患者が着座している間の患者の全身のビデオを記録する。このテストの目標は、静止した位置にある患者の手及び足を含んでいるビデオをキャプチャすることである。データは、患者が患者の腕を上げ、腕を患者自身の前にまっすぐ保持するビデオをも含んでいる。
【０１０９】
患者が、プロンプトされたセンテンスを言うか又は音声分析の代替方法を実施する間、患者の顔のクローズアップ・ビデオを（オーディオとともに）記録する。音声分析は、指定された持続時間の間、反復的な破裂音（「ＰＡ」、「ＴＡ」、「ＫＡ」、及び「ＰＡ−ＴＡ−ＫＡ」）を言うように、又はパラグラフを声を出して読むように患者に要請し得る。
【０１１０】
反復的な運動を実施している患者の複数のクリップを記録する。これらの運動は、指のタッピング、反復的に手を開閉すること、手の回転（回内する／回外する）、かかとのタッピングを含む。各場合において、ビデオは、アクションを実施している身体部位上にズーム・インされる（すなわち、指／手の運動の場合、手がビデオ・フレームをほぼ埋めるべきであり、足の運動の場合、足が、ビデオ・フレームをほぼ埋めるべきである）。
【０１１１】
椅子から起立し、１０〜１５歩歩き、１８０度向きを変え、歩いて戻る患者を記録する。これは、椅子から離れる患者の正面ビューをキャプチャするやり方で記録されるべきである。さらに、記録は、歩いている間のあるポイントにおける患者の正面ビューを含むべきである。
【０１１２】
診断モデルをトレーニングする目的で、上記のデータは、疾患のある個人及び健康な個人の母集団について記録される。最終的に、個人の大きい母集団についての記録が望まれる。しかしながら、データセットは反復して増大し得、中間モデルが、利用可能なデータに関してトレーニングされる。たとえば、システムは、上記のテストを実施するように患者に指示するスマートフォン・アプリにおいて展開され得る。アプリは、患者についての診断を与えるために既存のトレーニングされたモデルを使用することができ、その患者からのデータは、次いで、将来のモデルのために利用可能なトレーニング・データのセットに追加され得る。
２．データ注釈
【０１１３】
データ取得に続いて、データ注釈フェーズが、ビデオ記録の特性をラベリングするために必要とされる。トレーニングされたエキスパートは、各ビデオ記録を検討し、関係するアセスメントの集合を提供する。適切なとき、エキスパートは、患者の様々な観測可能な特性に対してパーキンソン病統一スケール（ＵＰＤＲＳ）レーティングを割り当てる。たとえば、テスト１における顔記録について、ＵＰＤＲＳスコアが、顔の表情及び顔／顎振戦に対して割り当てられる。ＵＰＤＲＳが適用可能でない状況では、エキスパートは、ビデオ記録に代替ラベルを割り当て得る。たとえば、テスト１における顔記録について、エキスパートは、患者の瞬目率を、正常から著しく低減された（ｓｅｖｅｒｅｌｙ  ｒｅｄｕｃｅｄ）にわたる５つのカテゴリーに分類し得る。テスト２について、エキスパートは、各四肢（ｅｘｔｒｅｍｉｔｙ）における振戦の量に対してＵＰＤＲＳスコアを割り当てる。テスト３について、エキスパートは、特定の持続時間の間の破裂音の回数、又はプロンプトされたパラグラフの共振、明瞭度、韻律、ボリューム、声質、及び調音精度に基づいて、患者の音声に対してＵＰＤＲＳスコアを割り当てる。テスト４について、エキスパートは、実施された各反復的運動タスクに対してＵＰＤＲＳスコアを割り当てる。テスト５について、エキスパートは、椅子から立ち上がること、姿勢、歩行、及び身体運動緩徐／運動低下に対してＵＰＤＲＳスコアを割り当てる。エキスパートは、交代運動率（ＡＭＲ：ａｌｔｅｒｎａｔｉｎｇ  ｍｏｔｉｏｎ  ｒａｔｅ）及び歩行分析を含む、特定のタスクのビデオ分析を通して、筋緊張（硬直、痙直、緊張低下、緊張亢進、ジストニア及び弛緩）など、診断を支援することができるビデオ記録の任意の他の弁別特性を識別し、ラべリングし得る。
【０１１４】
上記で説明されたエキスパート注釈に加えて、データは、他の形式の非エキスパート注釈を必要とし得る。概して、これらの注釈は、ＰＤを診断することに関係せず、代わりに、ビデオの関係する特性をラベリングすることに焦点を当てる。これの実例は、無関係なデータを除去するためにビデオ記録の端部をトリミングすること、音声の開始及び終了をマークすること、ビデオ・シーケンスにおける各瞬目を識別し、ラベリングすること、ビデオ・シーケンス全体にわたって手又は足のロケーションをラベリングすること、指のタッピングのビデオにおいてタップをマークすること、テスト５からのビデオにおいてアクション（椅子から立ち上がること、歩くこと、向きを変えること）をセグメント化することなどを含む。
【０１１５】
モデルをトレーニングするために利用可能なデータのすべてに、一貫した注釈が与えられるべきである。診断注釈（ＵＰＤＲＳ又は他の分類）について、すべてのトレーニング実例が、ラベリングされなければならない。非診断注釈は、それらが概して、最終診断モデルをトレーニングするためよりもむしろデータ準備段階をトレーニングするために使用されるので、あらゆるトレーニング実例に必要とされるとは限らない。
３．データ準備
【０１１６】
生ビデオ及びオーディオ・データは、通常、モデルをトレーニングするためにそれが使用され得る前に、準備のいくつかの段階を通ることを必要とする。これらの段階は、データ前処理（たとえば、ビデオ／オーディオをトリミングすること、ビデオをクロップすること、オーディオ利得を調節すること、時系列をサブサンプリング又はスーパーサンプリングすること、時間的平滑化など）、正規化（たとえば、オーディオ・クリップを標準的なテンプレートに位置合わせすること、顔画像を正準ビューに変えること、関心物体を検出すること、及び関心物体の周りをクロップすることなど）、及び特徴抽出（たとえば、音響データからメル周波数ケプストラム係数（ＭＦＣＣ）を導出すること、ビデオ・データのためのオプティカル・フロー特徴を算出すること、瞬目又は指のタップなどのアクションを抽出及び表現することなど）を含む。
【０１１７】
上記のテストから収集されたデータを前提として、最終診断を得るために適用され得る多くの異なる分析がある。以下では、各場合において診断を達成するために必要とされる方法を示すために、いくつかのそのような分析の実例が与えられる。最終システムでは、（本明細書で説明されない診断モデルを含む）多くの診断モデルが、トレーニングされ、組み合わせられて、全体的な診断を達成することになる。以下の実例は、上記で説明された第１のテストに適した方法をおおよそカバーするために選定された。５つのテストの各々内の様々な分析は、概して、より大きい類似度を呈する。これらの同じ実例が、モデル・トレーニングが説明される後続のセクションにおいて使用される。
【０１１８】
顔／顎振戦アセスメント（データ準備）
【０１１９】
テスト１からのデータは、静止時及びいくつかのアクションを実施している患者の顔のクローズアップ・ビューを含む。このデータは、顔の顎及び他の領域における振戦を識別し、測定するために使用され得る。ここで簡単のために、テスト１が下位集合に分割され、このタスクのために利用可能なデータが、静止時の顔のみの記録を含んでいると仮定する。
【０１２０】
いくつかの実施例では、顔の表情テストは、顔の表情の変化を引き出す可能性があるビデオ及びオーディオの組合せを見るように患者に要請する。これは、（限定はしないが）ユーモラスな、気持が悪い、又はびっくりさせるビデオ、或いは同様の特質をもつ写真、或いはびっくりさせるオーディオ・クリップを含み得る。一方、患者は、これらの刺激を見ている。（「セルフィ・モード」にあるか、又はそうでない場合は被験者の顔に向けられた）カメラが、顔の表情の変化或いは顎振戦の存在又は不在を分析するために、患者の顔に焦点を当てる。
【０１２１】
生ビデオ・データを処理することにおける第１の段階は、顔が存在し、遮られておらず、静止している、ビデオ内の（１つ又は複数の）連続領域を見つけることである。このタスクのために、既製（ｏｆｆ−ｔｈｅ−ｓｈｅｌｆ）の顔検出アルゴリズム（たとえば、非特許文献８又はより高度な畳み込みニューラル・ネットワーク）、又はＡｍａｚｏｎ  Ｒｅｋｏｇｎｉｔｉｏｎ（商標）などのオンラインＡＰＩを介して利用可能な顔検出アルゴリズムが、顔が存在するビデオ・フレームを識別するために使用され得る。顔が存在しないビデオの領域は、廃棄される。顔が存在する十分な連続セクションがない場合、ビデオは再記録される必要があるか、又はデータはトレーニング・セットから廃棄される。この段階中に稼働される顔検出アルゴリズムは、ビデオを（顔がおおよそ中心に置かれた）顔のみを含んでいる領域にクロップするためにも使用される。このプロセスは、異なる記録にわたる顔のサイズの変動を制御するのを助ける。
【０１２２】
顔処理における次のステップは、標準的な顔ランドマーク（たとえば、眼角、口、鼻、顎の輪郭など）のロケーションを識別することである。これは、フリー・ライセンスのソフトウェアを使用して又はオンラインＡＰＩを介して、行われ得る。代替的に、この問題のためのカスタム・ソリューションが、自由に利用可能な顔ランドマーク・データセットからのデータを使用してトレーニングされ得る。
【０１２３】
主要な顔の特徴のロケーションが知られると、アルゴリズムは、顔の一部分の周りの矩形領域をクロップすることによって、関心領域をビデオから抽出する。１つのそのような領域は、顎エリアを含み、おおよそ、垂直方向では頤のわずか下から鼻の中央まで、水平方向では顔の両側面に広がる。振戦が生じる顔の他の領域も、このポイントにおいて抽出され得る。さらに、顔全体のクロップが保持され得る。
【０１２４】
関心領域の抽出中に、クロップされたビデオ・シーケンス内の関心物体の滑らかなビューを保証するために、画像安定化技法が使用される。これらの技法は、あるフレームから次のフレームまでの検出された顔ボックス領域の変化、又は同様に、特定の顔ランドマークのロケーションの変化に依拠し得る。この正規化の目標は、関心領域のクリアな安定したビューを得ることである。たとえば、顎における振戦が、関心領域内で上下の運動として可視であり、顎領域の全体的なビューにおいてジッタを生じないように、顎領域のビューは、滑らかであり、一貫しているべきである。
【０１２５】
この段階の終わりにおいて、準備されたデータは、顔の特定のビュー上にズーム・インされたビデオの集合からなる。最終処理ステップとして、これらのクリップの持続時間が、患者記録にわたる標準的な持続時間を達成するように変更され得る。
４．診断モデルをトレーニングする
【０１２６】
生ビデオ及びオーディオ・データが、上記で説明された技法を使用して準備されると、正確な診断決定を行うようにモデルがトレーニングされる。多くの異なるモデルが、患者の運動の異なる態様を診断するようにトレーニングされる。前のセクションの場合のような、いくつかの具体的な実例が、ここで詳細に説明される。ただし、ここで説明されない実例は、本質的に同様である。
【０１２７】
さらに、上記のテストから導出されない追加の医療情報が、モデルのためのトレーニング入力として使用され得る。たとえば、患者の年齢、体重、医学的病歴又は家族の病歴などの関係する情報は、本発明のシステムに直接与えられ得る。そのような情報は、患者の電子健康記録から自動的に抽出されるか、或いはシステムによって提示される質問事項に応答して、患者又は医師によって手動で入力され得る。
【０１２８】
４．１．顔／顎振戦アセスメント（モデル・トレーニング）
【０１２９】
上記の説明に従って準備されたデータセットは、関心顔領域の１つ又は複数のビデオ・シーケンスを含んでいる。これらのシーケンスは、固定数のフレームを含むように標準化されている。さらに、各シーケンスについて、観測された顔／顎振戦に関連するＵＰＤＲＳスコアのためのエキスパート注釈を有する。簡単のために、単一の関心領域のためのモデルを説明し、次いで簡単に、このフレームワークが複数の関心領域にどのように拡張され得るかを論じる。
【０１３０】
１０秒間に毎秒３０フレームで記録される顎のビデオ・シーケンスを考慮する。顎の周りのクロップされた領域は１２８×２５６ピクセル（行×列）の寸法を有すると仮定される。その場合、データは、それぞれサイズ１２８×２５６の３００個のサンプル画像のシーケンスである（これらの数字は、説明のためのものにすぎず、モデルで使用される正確な寸法を反映しない）。各患者について、その患者のためのそのようなシーケンス及び関連するＵＰＤＲＳスコアを有する。モデルをトレーニングすることの目標は、データから導出された入力シーケンスからＵＰＤＲＳスコアを予測することを学習することである。
【０１３１】
このマッピングを学習するために、畳み込みニューラル・ネットワーク及びリカレント・ニューラル・ネットワーク（特に、長短期記憶（ＬＳＴＭ）ネットワーク）の組合せを使用する。独立した画像フレーム上で動作する畳み込みブロックの標準的な集合を定義する。各ブロックは、畳み込み演算子並びに随意のプーリング及び正規化層の組合せを含む。ブロックは、ネットワークにおいて入力データ又はそれの変更されたバージョンを前方に供給するスキップ接続をも含み得る。畳み込みブロックの終わりにおいて、特徴は、単一の特徴ベクトルに平坦化される。モデルは、当面の弁別タスクにとって有用である、各画像のための単一の特徴ベクトルを発生するために、畳み込みブロックの重みを学習する。ネットワーク処理パイプラインのこのポイントにおいて、ビデオ・シーケンス中の各画像のための特徴ベクトルがある。特徴のこのシーケンスは、データにおいて時間次元にわたって統合することを学習するＬＳＴＭネットワークに渡される。ＬＳＴＭネットワークは、ＵＰＤＲＳスコアのための最終実数値予測を発生するために使用され得る、シーケンス全体のための特徴ベクトルを発生する。ネットワークにおける学習は、確率勾配降下などの標準的な最適化方法を使用して、ＬＳＴＭ層を通し、次いで畳み込みブロックを通して、予測されたＵＰＤＲＳスコアに関連する損失を逆伝搬することによって実施される。上記の説明は、この問題に適用され得る１つのそのようなモデルの概略にすぎず、等しく有効であり得る、これに対する多くの妥当な変形態があることに留意されたい。そのようなネットワークの実装、トレーニング及び展開は、ＴｅｎｓｏｒＦｌｏｗ、Ｃａｆｆｅなどの標準的なニューラル・ネットワーク・ライブラリを使用して達成され得る。
【０１３２】
上記の説明は、単一の関心領域上で動作するモデルのものである。しかしながら、この技法は、複数の関心領域に一般化され、すべての領域上で動作するモデル全体が、１つのパスにおいてトレーニングされ得る。一般的な手法は、関心領域の各々について予測又は特徴表現を発生するために、これらのモデルのうちのいくつかを同時に稼働することである。これらの予測又は特徴は、次いで、ネットワーク・アーキテクチャにおいて組み合わせられ、最終の全結合ネットワークを介して使用されて、全体的なＵＰＤＲＳスコアの予測を行い得る。学習誤差は、この最終の最後の予測から、特定の関心領域に関連するモデルの分岐のすべてを通って伝搬することができる。
５．トレーニング・モデルのアグリゲーション
【０１３３】
ＰＤを診断するための一般的なシステムの目標は、患者についての最終診断を生成するか、又は患者についての全体的なＵＰＤＲＳスコアを与えることである。これを行うために、最終モデルは、特定の運動異常を識別するようにトレーニングされるモデルのセットからの予測をどのようにアグリゲートすべきかを学習するようにトレーニングされなければならない。
【０１３４】
最終モデルのための入力として、実数値スコア、順序の分類又は一般的な分類であり得る、各中間モデルからの予測を有する。これらの予測に加えて、中間モデルからの予測についての信頼性値と他の関連する出力とを有し得る。各患者について、その患者についての全体的なＵＰＤＲＳスコアのためのエキスパート注釈を有すると仮定する。
【０１３５】
標準的なランダム・フォレスト回帰モデルは、入力データから全体的なＵＰＤＲＳスコアを予測するようにトレーニングされる。そのようなモデルは、ｓｃｉｋｉｔ−ｌｅａｒｎなどの標準的な機械学習ライブラリを使用して、トレーニング及び展開され得る。全体的な診断を行うことを学習するために多くの異なるモデルが使用され得、ほんの一実例としてランダム・フォレスト回帰が提案される。
６．モデル展開
【０１３６】
ＰＤを診断するためにこのシステムを展開するとき、同じデータ収集プロセスが、所与の患者のために適用される。データの注釈はなく、なぜなら、目標は、システムがこれを実施することであるからである。生データは、上記のセクション３における方法に従って準備され、セクション４で説明されたトレーニングされるモデルに渡される（ただし、この段階では実際のトレーニングが行われない）。トレーニングされた診断モデルの各々の出力は、次いで、全体的な診断予測を行うために最終モデルにパスされる。中間モデルからの予測も、最終診断において利用可能にされ得る。
【０１３７】
一実例として、そのようなシステムは、スマートフォン・アプリにおいて実装され得る。ビデオを記録し、適切な患者のアクションについてプロンプトするアプリ内のプロセスに従うことによって、患者についてのデータが収集される。アプリは、上記のテストにおおよそ対応する一連の個別テスト（ただし、上記のテストのうちのいくつかが複数のサブテストに分割される）を循環する。各テストからのデータは、デバイス上に保存されるか又はクラウドにアップロードされる。さらに、データは、適切なデータ準備方法に渡され、データ準備方法は、準備されたデータを適切な診断モデルに渡す。単一のテストからのデータは、（データ準備とモデル評価とからなる）複数の異なる診断パイプラインに渡され得る。診断パイプラインは、デバイス上、遠隔コンピュータ上、又は両方の何らかの組合せで実装され得る。診断モデルのすべてが稼働されると、それらの出力は、全体的な診断予測を得るために最終モデルに渡される。再び、この処理は、デバイス上、クラウド中、又は両方の何らかの組合せで行われ得る。システムは、中間モデル予測とともに最終診断予測を患者に出力する。システムは、そのような出力を、初期センサー・データを収集するために使用されたデバイスのスクリーン上に表示し得るか、又は、そのような出力を、モバイル・デバイスへのＳＭＳメッセージング、又は電子メールを指定された当事者に送ることなど、他の手段を介して、関係する当事者に送信し得る。システムは、診断予測に関係する追加情報（たとえば、信頼性スコア、記録品質のアセスメント、フォローアップ・テストのための勧告など）を提示し得る。アプリはまた、関係する情報とテストからのデータとをロギングし得、診断に関する情報を選択された医療専門家に伝えることができる。
【０１３８】
上記で提示された運動障害に関係する実施実例に加えて、本発明のシステムは、以下の疾患並びに多くの他のものを診断することにも適用可能である。
【０１３９】
脳卒中：
【０１４０】
一実施例では、人工知能システムは、組織プラスミノーゲン活性化因子（ｔＰＡ：ｔｉｓｓｕｅ  ｐｌａｓｍｉｎｏｇｅｎ  ａｃｔｉｖａｔｏｒ）又は（「血栓溶解（ｃｌｏｔ  ｂｕｓｔｅｒ）」）、或いは血管内処置又は抗血栓処置の使用などの他の処置が、脳卒中緊急事態を呈する患者に与えるのに適切であるかどうかを自律的に決める。急性脳卒中症状を呈する患者は、救急内科医と急性脳卒中人工知能システム（ＡＳＡＩＳ：Ａｃｕｔｅ  Ｓｔｒｏｋｅ  Ａｒｔｉｆｉｃｉａｌ  Ｉｎｔｅｌｌｉｇｅｎｃｅ  Ｓｙｓｔｅｍ）とによって同時に評価される。ＡＳＡＩＳは、患者を査定するための、ビデオ、オーディオ、及び赤外線発生器／センサーを含む、３つの一般的なタイプのセンサーのうちの少なくとも１つを有する。さらに、「臨床データ」入力がある。臨床データ入力は、看護師又は医療アシスタントによって手動で入れられるか、或いはデータの一部の直接転送のために施設の電子健康記録（ＥＨＲ：ｅｌｅｃｔｒｏｎｉｃ  ｈｅａｌｔｈ  ｒｅｃｏｒｄ）とリンクされ得る。臨床データは、経歴データ、症状の発症の時間又は患者が「正常」と見られた最後の時間、実験室データ（血小板数、国際標準比及びプロトロンビン時間）、脳イメージング・データ（一般に、造影なしの頭部コンピュータ断層図）、及び血圧を含む。最後に、必要とされる「はい／いいえ」質問の簡単なセットがあり、手動で入れられる必要がある。これらは以下を含む。
１．既知の内出血があるか−  はい又はいいえ
２．頭蓋内又は脊椎内手術の最近（３月内）の既知の病歴があるか？又は深刻な頭部外傷は？−  はい又はいいえ
３．出血のリスクを増加させ得る、既知の頭蓋内の状態があるか？−  はい又はいいえ
４．既知の出血性素因があるか？−  はい又はいいえ
５．ここ７日以内に非圧縮性部位において既知の動脈穿刺があるか？−  はい又はいいえ
【０１４１】
いくつかの実施例では、センサーは、限定はしないが、改訂国立衛生研究所脳卒中スケール（ｍＮＩＨＳＳ：ｍｏｄｉｆｉｅｄ  Ｎａｔｉｏｎａｌ  Ｉｎｓｔｉｔｕｔｅｓ  ｏｆ  Ｈｅａｌｔｈ  Ｓｔｒｏｋｅ  Ｓｃａｌｅ）の各態様のアセスメントに関係する患者の徴候（ｓｉｇｎ）の検出を含むファクタを決定する。そのようなテストは、以下を含む。
【０１４２】
以下を見分ける水平眼球運動。正常運動、部分注視麻痺、及び完全注視麻痺。
【０１４３】
以下を見分ける視野アセスメント。正常視野、部分半盲又は完全四半盲；患者が１つの特定の象限中の視覚刺激を認識しない、及び完全半盲；患者が視野の１／２中の視覚刺激を認識しない、及び全盲。
【０１４４】
以下を左腕と右腕の両方について別個に見分ける腕運動性アセスメント（ｍｏｔｏｒ  ａｒｍ  ａｓｓｅｓｓｍｅｎｔ）。腕ドリフト（ｄｒｉｆｔ）なし；腕は、初期位置に１０秒間とどまる、ドリフト；腕は、まる１０秒の終了より前に中間位置にドリフトするが、いずれのポイントにおいても支持に頼らない、重力に反する限られた力；腕は、開始位置を得ることが可能であるが、１０秒の終了より前に初期位置から物理的支持まで下にドリフトする、重力に反する力なし；初期位置まで手伝われた後に、腕は直ちに下がるが、患者は、何らかの形（たとえば、肩をすくめる）で腕を動かすことが可能である、及び、運動なし；患者は、この腕における随意運動を実行に移す能力を有しない。
【０１４５】
以下を左脚と右脚の両方について別個に見分ける脚運動性アセスメント（ｍｏｔｏｒ  ｌｅｇ  ａｓｓｅｓｓｍｅｎｔ）。脚ドリフトなし；初期位置に５秒間とどまる場合、ドリフト；脚は、まる５秒の終了より前に中間位置にドリフトするが、いずれのポイントにおいても支持を求めてベッドに触れない、重力に反する限られた力；脚は、開始位置を得ることが可能であるが、５秒の終了より前に初期位置から物理的支持まで下にドリフトする、重力に反する力なし；初期位置まで手伝われた後に、脚は直ちに下がるが、患者は、何らかの形（たとえば、股関節屈曲）で脚を動かすことが可能である、及び、運動なし；患者は、この脚における随意運動を実行に移す能力を有しない。
【０１４６】
以下を見分ける言語アセスメント。正常音声、軽度から中度の失語症；流暢さにおいて検出可能な低下があるが、いくらかの情報コンテンツあり、重度失語症；すべての音声が断片化され、患者の音声は、識別可能な情報コンテンツを有しない、患者は話すことができない。
【０１４７】
脳卒中スケールを与えられた語のリストを患者に読ませ、以下を見分ける構音障害アセスメント。正常；クリアな及び滑らかな音声、軽度から中度の構音障害；音声をいくらか不明瞭に発音する（ｓｌｕｒ）が、患者は理解され得る、並びに、重度構音障害；患者は理解され得ないほど、音声が不明瞭に発音される、又は音声を生成することができない患者。
【０１４８】
以下を見分ける、消去及び不注意のアセスメント。正常、１つのモダリティ、視覚、触覚、聴覚、又は空間における片側の不注意、及び半不注意（ｈｅｍｉ−ｉｎａｔｔｅｎｔｉｏｎ）；同じ側の２つ以上のモダリティにおいて刺激を認識しない。
【０１４９】
次いで、このアグリゲート・データは、ＡＳＡＩＳによって分析される。ＡＳＡＩＳの収集構成要素は、ラップトップにローカルに格納され、ソフトウェアはクラウド技術を介して記憶され／操作され得る。一実施例では、ＡＳＡＩＳ決定実行アルゴリズムは、患者にｔＰＡを投与することに対する、３つの最終的な出力、はい、いいえ又は可能性有り（ＭＡＹＢＥ）のうちの１つを発生する。救急内科医は、ｔＰＡを与えるべきか否かに対する最終決定を行うために、ＡＳＡＩＳを用いた出力とともに救急内科医自身の判断を使用することができる。フローチャート１は、この基本的プロセスを示す。
【０１５０】
現在、神経科医の著しい不足により、米国全土の多くの救急部門における遠隔医療の使用の普及があることに留意することが、極めて重要である。したがって、ＡＳＡＩＳは、既存の遠隔神経学サービス内に組み込まれて、カバーされる病院の神経科医容量（ｖｏｌｕｍｅ）を（限度内で）さらにスケールアップし、救急内科医によって不確実であると見なされるケースについて、人間の神経科医の「バックアップ」を与え得る。
【０１５１】
好ましい実施形態では、ＡＳＡＩＳからの３つの可能な出力、はい、いいえ、及び可能性有り、がある。１つの出力は、患者にｔＰＡを投与することに対する、はいである。救急内科医がその出力に同意する場合、ｔＰＡが投与される。救急内科医が、その出力について疑問に思うか又は不確実である場合、遠隔神経科医が、遠隔医療技術を使用して、このケースに直接関与し、最終勧告を与え得る。第２の出力は、ｔＰＡを投与することに対する、いいえである。この場合、神経科医は、上記で略述したように、救急内科医が出力について疑問に思うか又は不確実であるケースのみに直接関与する。第３の出力オプションは、ｔＰＡを投与することに対する、可能性有りである。神経科医は、遠隔医療を介してこれらのケースのすべてに関与する。
【０１５２】
主要な最終的出力（ｔＰＡ投与に対する、はい、いいえ及び可能性有り）に加えて、内科医利用のための、同時の改訂国立衛生研究所脳卒中スケール（ｍＮＩＨＳＳ）出力もあり得る。国立衛生研究所脳卒中スケール（ＮＩＨＳＳ：Ｎａｔｉｏｎａｌ  Ｉｎｓｔｉｔｕｔｅｓ  ｏｆ  Ｈｅａｌｔｈ  Ｓｔｒｏｋｅ  Ｓｃａｌｅ）は、脳卒中欠損の重大度を格付けするために広く使用される標準化された神経学的試験スケールである。範囲は、０（正常）から４２（最も重度な脳卒中）までである。大まかに、ＮＩＨＳＳの０〜５スコアは小さい脳卒中と相関し、スコア２０超は大きい脳卒中と相関する。予期される技術的限定により、ＮＩＨＳＳは改訂され得る。
【０１５３】
代替実施例では、本発明は、家庭セルフ・テスト用のモバイル・アプリケーション・バージョンを有する。このアプリケーションは、ビデオ、オーディオ、及びデバイス上で利用可能な場合は赤外線飛行時間を利用する。
【０１５４】
神経刺激デバイス較正：
【０１５５】
神経刺激デバイスは、治療効果のために脳の特定の領域又は神経系の他の部分に電流を与える医療デバイスである。運動障害において、そのような神経刺激デバイスのうちの１つの変形態は、特許文献１で説明されるものなど、脳深部刺激（ＤＢＳ）デバイスと呼ばれる。ＤＢＳは、パーキンソン病、振戦及びジストニアのためのＦＤＡ認可された療法である。将来において、ＤＢＳは、脳卒中回復のためのＦＤＡ認可を得る可能性がある。脳卒中回復のための最初のＤＢＳ埋め込み（ＤＢＳ  ｉｍｐｌａｎｔ）は、Ｂｏｓｔｏｎ  Ｓｃｉｅｎｔｉｆｉｃによって製造されたデバイスを使用して、Ｃｌｅｖｅｌａｎｄ  Ｃｌｉｎｉｃ（オハイオ）において２０１６年１２月１９日に行われた。
【０１５６】
そのような埋め込み医療デバイスは、デバイスが適切に挙動し、患者に最適な結果を与えることを保証するために、特殊なプログラミングを必要とすることが、当業者には明らかであろう。したがって、各埋め込みデバイスは、それの治療効果を最大にするために患者に対して詳細に較正されなければならない。現在、ＤＢＳをプログラミングする（最初に及びフォローアップ訪問中の両方）ための最良慣例は、かなりの量の試行錯誤を伴い、それは、患者にとって著しい不確実性をもたらし、準最適な結果を生じる可能性を有する。非特許文献１５を参照。したがって、患者のために正確なプログラミング勧告をすることができるシステムが必要である。
【０１５７】
したがって、本発明のいくつかの実施例では、本発明のシステムは、限定はしないが、硬直、振戦、無動症／運動緩徐又はジスキネジアの誘導を改善することなど、治療有効性を改善することと、限定はしないが、構音障害、持続性収縮、複視、気分変化、知覚異常、又はデバイスの視覚的現象などの意図しない副作用を低減することの両方のために、患者における埋め込みデバイスの性能を最適化するための特定のプログラミング提案を生成するために使用され得る。
【０１５８】
本発明のセンサー及び診断システムを利用して、好ましくは顔の表情、運動性制御及び音声パターン診断法を含む、上記の実施実例で説明されたセンサー入力は、ＤＢＳデバイス上で利用可能な様々なプログラミング変数に関する特定の提案を行うように機械学習アルゴリズムをトレーニングするために使用され得る。そのような提案は、振幅の変化（ボルト又はｍＡ単位）、パルス幅（マイクロ秒（ｕｓｅｃ）単位）、レート（ヘルツ単位）、（電極の）極性、電極選択、刺激モード（ユニポーラ又はバイポーラ）、周期（秒又は分単位のオン／オフ時間）、電源（振幅単位）、及び計算された電荷密度（刺激位相ごとのｕＣ／ｃｍ２単位）を含む。
【０１５９】
トレーニングされると、本発明のシステムは、各患者の埋め込みデバイスのためのプログラミング変数を改変するための特定の勧告を行うために、個別の患者から収集された同様のデータを使用し得る。
【０１６０】
本発明のシステムの１つの主要な利益は、そのようなプログラミング変更がリアル・タイムで行われ得ることであり、システムは、提案されたプログラミング変更を検証すること、又は患者のための医療デバイスの機能をさらに改善し得る、追加の変更を潜在的に提案することの両方のために、患者を監視する。
【０１６１】
したがって、いくつかの実施例では、センサー・データは、標準的なテレメトリ、無線周波数信号、Ｂｌｕｅｔｏｏｔｈ（登録商標）、又はアプリケーションと埋め込みパルス発生器（ＩＰＧ：ｉｍｐｌａｎｔｅｄ  ｐｕｌｓｅ  ｇｅｎｅｒａｔｏｒ）との間のワイヤレス通信の他の手段を通した、ＩＰＧとの直接通信を介して、多数（数千から数百万）の可能なＤＢＳ刺激パターンをテストする反復的プロセスを通して、機械学習及び最適化システムによってリアル・タイムで分析され得る。システムは、最適化されたＤＢＳ刺激パターンを見つけ、この刺激パターンをベースラインとして設定することが可能である。このベースラインＤＢＳ刺激パターンは、ヘルスケア提供者−プログラマーによって手動でいつでも、又は後で最適化するためにこのアプリケーションを使用して、変更され得る。さらなる実施例では、本発明のシステムは、強迫性障害、大うつ病性障害、薬物耐性てんかん、中枢痛及び認知／記憶障害を含む他の神経精神障害についての刺激パターンを最適化するために上記で説明された、同じ反復プロセスを使用し得る。
【０１６２】
図４は、患者におけるＤＢＳをプログラミングするための勧告を生成するための本発明のシステムの１つの可能な実装形態を示す。第１に、ユーザは、セルフォン又はタブレット・コンピュータなど、モバイル・デバイスに、本発明のプログラムを実行することができるアプリケーションを稼働するように命令する（４０１）。次いで、ユーザは、診断されるべき被験者に対して一連のテストを実施するようにプロンプトされる（４０２）。ユーザ及び被験者が、同じ人又は異なる人であり得ることは明らかであろう。この実例では、アプリケーションは、ユーザに３つのテスト、すなわち、デバイスの内蔵カメラを使用して様々な顔の表情を記録することに焦点を当てるテスト、デバイス内に装備された加速度計を使用して微細運動性制御に焦点を当てるテスト、及びユーザにスクリーン上に表示されたセンテンスを読ませ、デバイスのマイクロフォンを使用して音声を記録することによる音声パターンに焦点を当てるテストを実施するようにプロンプトした。ユーザがプロンプトされたテストを実施するにつれて、関係するデータが収集される（４０３）。この実例では、データは、次いで、遠隔クラウド・サーバに送信され、ここで、本発明のトレーニングされたＡＩプログラムが、データを処理及び分析して（４０４）、特定のテストに基づくＤＢＳ結果を生成する（４０５）。次いで、個別のＤＢＳ結果は、トレーニングされたＡＩプログラムによってアグリゲートされて（４０６）、上記で説明された変数についての提案されたプログラミング・セッティングなど、ユーザに出力される最終ＤＢＳ結果を生成する（４０７）。追加のセンサー入力も使用され得ること、及び任意の個別のＡＩプログラムが、個別の臨床結果を生成するために１つ又は複数のセンサーからのデータを組み込み得ることが、当業者には明らかであろう。トレーニングされたＡＩプログラムは、データを収集するために使用されたデバイスが、ストレージが完全なアプリケーションを稼働するために十分な算出能力を有するという条件で、そのデバイスに格納され得ることがさらに明らかであろう。めまい：
【０１６３】
本発明の役割は、めまいの原因を診断するのを助けるために、任意の臨床環境において内科医を援助することである。本発明は、患者の運動性活動、運動、歩行、眼球運動、顔の表情及び音声を分析するために、ビデオ、オーディオ及び（利用可能な場合）赤外線飛行時間入力を使用する人工知能ベースのシステムを含む。それは、めまい（急性重症めまい、再発性頭位性めまい、非頭位性めまいの再発性発作）の時間的プロファイルに関する入力をも有する。このデータは、医療助手によって手動で入れられ、又はプロンプトを介して患者によって自然言語処理を介して入れられ得る。
【０１６４】
発作：
【０１６５】
本発明の目的は、デジタル・ビデオを主に分析する機械学習アルゴリズムを使用して、ＥＳ及びＮＢＳの区別を援助することである。他の実施例では、追加の入力も利用され得る。
【０１６６】
好ましくは、ソフトウェアは、ＥＭＵの既存のインフラストラクチャ内に組み込まれ得、患者家庭用のモバイル／タブレット・バージョンを有する。これは、事象を記録するように患者に動機を与えるのを助ける。本発明からの分析を有することに加えて、患者は、確認のためにビデオを神経科医と共有することが可能である。
【０１６７】
方法及び構成要素が本明細書で説明された。ただし、本明細書で説明された方法及び構成要素と同様又は等価の方法及び構成要素も、本発明の変形形態を得るために使用され得る。材料、物品、構成要素、方法、及び実例は、例示にすぎず、限定するものではない。
【０１６８】
ほんの少数の実施例のみが上記で詳細に開示されたが、他の実施例が可能であり、発明者は、これらが本明細書内に包含されることを意図する。本明細書は、別のやり方で達成され得るより一般的な目標を達成するために、具体的な実例について説明する。本開示は例示的であることを意図され、特許請求の範囲は、当業者に予測可能であり得る変更又は代替をカバーすることを意図される。
【０１６９】
例示的な実施例において本発明の原理を示し、それについて説明したが、説明された実例が例示的な実施例であること、及びそのような原理から逸脱することなく構成及び詳細において変更され得ることは、当業者には明らかであろう。実例のいずれかからの技法は、他の実例のいずれかのうちの１つ又は複数に組み込まれ得る。本明細書及び実例は、例にすぎないと見なされ、本発明の真の範囲及び趣旨は、以下の特許請求の範囲によって示されるものとする。
【図１】
2020537579.tif 000003
【図２】
2020537579.tif 000004
【図３】
2020537579.tif 000005
【図４】
2020537579.tif 000006
【国際調査報告】
2020537579.tif 000007
2020537579.tif 000008
2020537579.tif 000009